(57)【要約】  基板上に配置された複数の緑色発光領域を有するＯＬＥＤデバイスであって、各緑色発光領域は、１又は２以上の発光層と、それぞれ該発光層の反対側に配置され、該発光層が発する光を当該光がほぼ緑色のスペクトル成分を有するように共振させるよう配置された反射器及び半透明の反射器と、緑色の光を生じるため各緑色発光領域に関連して配置された黄色カラーフィルタ要素とを含む。
2007520862.tif 000002
【特許請求の範囲】
【請求項１】
基板上に配置された複数の緑色発光領域を有するＯＬＥＤデバイスであって、各緑色発光領域が、
ａ）１又は２以上の発光層と、
ｂ）それぞれ該発光層の反対側に配置され、該発光層が発する光を当該光がほぼ緑色のスペクトル成分を有するように共振させるよう配置された反射器及び半透明の反射器と、
ｃ）緑色の光を生じるため各緑色発光領域に関連して配置された黄色カラーフィルタ要素とを含むＯＬＥＤデバイス。
【請求項２】
各黄色フィルタ要素が、４７５ｎｍ〜５６０ｎｍのカットオフ波長を有し、少なくとも７００ｎｍまでの前記カットオフ波長より高い可視波長では、前記カラーフィルタ要素の透過率が前記カットオフ波長の透過率より高く、少なくとも４００ｎｍまでの前記カットオフ波長より低い可視波長では、前記カラーフィルタ要素の透過率が前記カットオフ波長の透過率より低くなるように選択される、請求項１に記載のＯＬＥＤデバイス。
【請求項３】
各黄色フィルタ要素が、４７５ｎｍ〜５６０ｎｍのカットオフ波長を有し、前記カットオフ波長より高い可視波長では、前記カラーフィルタ要素の透過率が前記カットオフ波長の透過率より高く、前記カットオフ波長より低い可視波長では、前記カラーフィルタ要素の透過率が前記カットオフ波長の透過率より低くなるように選択される、請求項１に記載のＯＬＥＤデバイス。
【請求項４】
前記フィルタが４９０ｎｍ〜５４０ｎｍのカットオフ波長を有する、請求項１に記載のＯＬＥＤデバイス。
【請求項５】
前記発光領域が、前記基板に対して垂直な角度で緑色及び４９０ｎｍ〜５７０ｎｍのピーク光放射を有する光を生じる、請求項１に記載のＯＬＥＤデバイス。
【請求項６】
前記基板に対して垂直な角度で緑色及び５００ｎｍ〜５５０ｎｍのピーク光放射を有する、請求項５に記載のＯＬＥＤデバイス。
【請求項７】
前記反射器、前記半透明の反射器、またはそれらの両方が前記発光層のための電極の役目をも果たす、請求項１に記載のＯＬＥＤデバイス。
【請求項８】
前記半透明の反射器がＡｇまたはＡｇを含む合金を含む、請求項１に記載のＯＬＥＤデバイス。
【請求項９】
さらに、赤色光を放射するように知覚される１又は２以上の発光領域と、青色光を放射するように知覚される１又は２以上の発光領域とを備える、請求項７に記載のＯＬＥＤデバイス。
【請求項１０】
上部発光デバイスとして構成される、請求項１に記載のＯＬＥＤデバイス。
【請求項１１】
基板上に配置された複数の緑色発光領域及び赤色発光領域を有するＯＬＥＤデバイスであって、各緑色発光領域が、
ａ）１又は２以上の発光層と、
ｂ）それぞれ該発光層の反対側に配置され、該発光層が発する光を当該光がほぼ緑色のスペクトル成分を有するように共振させるよう配置された反射器及び半透明の反射器とを含み、各赤色発光領域が、
ｉ）１又は２以上の発光層と、
ｉｉ）それぞれ該発光層の反対側に配置され、該発光層が発する光を当該光がほぼ赤色のスペクトル成分を有するように共振させるよう配置された反射器及び半透明の反射器と、
ｉｉｉ）それぞれ緑色及び赤色の光を生じるため各緑色及び赤色発光領域に関連して配置された黄色カラーフィルタ要素とを含むＯＬＥＤデバイス。
【発明の詳細な説明】
【技術分野】
【０００１】
本発明は、マイクロキャビティ有機電場発光（ＥＬ）デバイスに関する。
【背景技術】
【０００２】
有機発光デバイスまたはＯＬＥＤとしても知られるフルカラー有機電場発光（ＥＬ）は、最近新しい種類のフラットパネルディスプレイとして例証されている。最も単純な形態では、有機ＥＬデバイスは、正孔注入のためのアノードの役目を果たす電極と、電子注入のためのカソードの役目を果たす電極と、これらの電極の間に挟まれ光の放射を生じる電荷の再結合をサポートする有機ＥＬ媒体とから構成する。有機ＥＬデバイスの例は、同じ譲受人に譲受された米国特許第４，３５６，４２９号に記載されている。例えば、テレビ、コンピュータモニタ、携帯電話ディスプレイまたはデジタルカメラディスプレイとして有用なもののような画素化ディスプレイデバイスを構成するため、個別の有機ＥＬ要素をマトリックスパターンの画素のアレイとして配置してもよい。マルチカラーディスプレイを製造するため、画素はさらに、各副画素が異なる色を放射する副画素として配置してもよい。この画素のマトリックスは、単純なパッシブマトリックスまたはアクティブマトリックス何れかの駆動スキームを使用して電気的に駆動すればよい。パッシブマトリックスでは、有機ＥＬ層は、行及び列として配置された２組の直交する電極の間に挟まれる。パッシブマトリックス駆動有機ＥＬデバイスの例は米国特許第５，２７６，３８０号で開示されている。アクティブマトリックス構成では、各画素は、トランジスタ、コンデンサ、及び信号線といった多数の回路要素によって駆動される。こうしたアクティブマトリックス有機ＥＬデバイスの例は米国特許第５，５５０，０６６号、第６，２８１，６３４号、及び第６，４５６，０１３号で提供されている。
【０００３】
ＯＬＥＤディスプレイは１つかそれ以上の色を有するように製造できる。フルカラーＯＬＥＤデバイスも当業技術分野で周知である。通常のフルカラーＯＬＥＤデバイスは、赤色、緑色、及び青色の３つの副画素を有する画素から構成する。こうした配置はＲＧＢ設計として知られている。ＲＧＢ設計の例は米国特許第６，２８１，６３４号で開示されている。赤色、緑色、青色及び白色の４つの副画素を有する画素から構成したフルカラー有機電場発光（ＥＬ）デバイスも最近記述されている。こうした配置はＲＧＢＷ設計として知られている。ＲＧＢＷデバイスの例は米国特許出願第２００２／０１８６２１４  Ａ１号公報で開示されている。
【０００４】
カラーディスプレイを得るためのいくつかのアプローチが当業技術分野で知られている。例えば、１つかそれ以上の異なるＯＬＥＤ材料を使用して各々異なる色の副画素を構成してもよい。こうした材料は、シャドウマスク、ドナーシートからの熱転写、またはインクジェット印刷を含む方法によって副画素上に選択的に配置する。カラーディスプレイを製造する別のアプローチは、異なる色の全ての副画素にわたる１つかそれ以上の層の共通のスタックとしてＯＬＥＤ材料を配置した後、１つかそれ以上の異なる色のフィルタを使用して共通のＯＬＥＤの色を各副画素毎に異なる色に変換するものである。この場合、ＯＬＥＤ材料は通常広い放射スペクトルを生じるように配置し、白色発光または白色ＯＬＥＤとも呼ばれる。カラーフィルタを備えた白色ＯＬＥＤの例は米国特許第６，３９２，３４０号で開示されている。
【０００５】
カラーディスプレイを達成するまた別のアプローチは、マイクロキャビティ構造内にＯＬＥＤ放射要素を配置し、マイクロキャビティの光共振器の長さによって決定される特定の波長の放射を強調するものである。こうしたマイクロキャビティデバイスの例は米国特許第５，４０５，７１０号及び第５，５５４，９１１号に示されている。この場合、広帯域放射ＯＬＥＤ材料を使用することができ、各々異なる色の副画素毎に共振器の光学的長さを変化させることによって、異なる色の放射を達成できる。しかし、マイクロキャビティによって構成したデバイスには、異なる角度で見た場合、放射の色が変化することがあるという問題がある。この作用は米国特許第５，７８０，１７４号に記載されている。従って、知覚される色の視角への依存性を低減したマイクロキャビティ構造を使用するＯＬＥＤデバイスが望ましい。
【発明の開示】
【発明が解決しようとする課題】
【０００６】
従って、本発明の目的は、緑色光を発生することのできるマイクロキャビティ構造を有し、基板に対して異なる角度で見た場合、知覚される色の変化を低減したＯＬＥＤデバイスを提供することである。
【課題を解決するための手段】
【０００７】
この目的は、基板上に配置された複数の緑色発光領域を有するＯＬＥＤデバイスであって、各緑色発光領域が、
ａ）１又は２以上の発光層と、
ｂ）それぞれ該発光層の反対側に配置され、これらの発光層が発する光を当該光がほぼ緑色のスペクトル成分を有するように共振させるよう配置された反射器及び半透明の反射器と、
ｃ）緑色の光を生じるため各緑色発光領域に関連して配置された黄色カラーフィルタ要素とを含むＯＬＥＤデバイスを提供することによって達成される。
【発明の効果】
【０００８】
本発明は、従来のマイクロキャビティデバイスに対して、基板に対して異なる角度で見た場合の見掛けの色変化が低減されるという利点を有する。本発明はさらに、基板に対して垂直な角度で見た場合、カラーフィルタ要素での吸収による緑原色の放射の輝度の損失が最小であるという利点を有する。
【発明を実施するための最良の形態】
【０００９】
ＯＬＥＤマイクロキャビティデバイスは、反射器と半透明の反射器との間に電場発光有機媒体を配置することによって構成する。そして、反射器と半透明の反射器との間の層の光学的厚さを最適化して特定の波長の光を共振させる共振器を形成する。ＯＬＥＤマイクロキャビティデバイスは、半透明の反射器の機能を果たす４分の１波長スタック（Ｑｕａｒｔｅｒ  Ｗａｖｅ  Ｓｔａｃｋ、ＱＷＳ）を備えて構成してもよい。ＱＷＳを備えたＯＬＥＤマイクロキャビティデバイスの例は米国特許第５，４０５，７１０号に示されている。また、ＯＬＥＤマイクロキャビティデバイスは、半透明の反射器を形成する薄い金属層を使用して形成してもよい。半透明の反射器として薄い金属層を備えたＯＬＥＤマイクロキャビティデバイスの例は、高田（Ｎ．Ｔａｋａｄａ）、筒井（Ｔ．Ｔｓｕｔｓｕｉ）、斎藤（Ｓ．Ｓａｉｔｏ）、応用物理通信（Ａｐｐｌｉｅｄ  Ｐｈｙｓｉｃｓ  Ｌｅｔｔｅｒｓ）、第６３（１５）巻、２０３２−２０３４ページ、１９９３年で論じられている。マイクロキャビティデバイスは、垂直（０度）の視角で見た場合狭くて強いスペクトル放射を有する傾向がある。米国特許第５，５５４，９１１号で示されているように、この作用を使用して単一の広帯域スペクトルを放射するＯＬＥＤ媒体からフルカラーデバイスを製造してもよい。しかし、米国特許第５，７８０，１７４号で例示されているように、視角が垂直から増大するに連れて、スペクトル放射は低い波長にシフトする傾向がある。緑色に調整したマイクロキャビティの場合、これは、大きい角度では知覚される色が緑色から青色にシフトすることを意味する。低い波長の光を吸収するカラーフィルタ要素を組み込むことによって色の見掛けの変化を抑制することができる。
【００１０】
図１は、本発明に係る単純化したＯＬＥＤマイクロキャビティデバイス１０の拡大断面図である。ＯＬＥＤマイクロキャビティデバイス１０は、半透明の反射器１１、共振器スペーサ１２、有機ＥＬ媒体１３、反射器１４、基板１６、及びカラーフィルタ要素１５から構成する。こうしたマイクロキャビティデバイスでは、光は有機ＥＬ媒体中で発生し、反射器１４と半透明の反射器１１との間で共振して半透明の反射器１１を通じて視認者に向かってデバイスを出る。この場合、半透明の反射器１１は、好適には厚さ５ｎｍ〜３５ｎｍであるＡｇまたはＡｇの合金といった薄い金属層から構成してもよい。共振器スペーサ１２はＩＴＯのような透明な材料から構成する。また、この例では、共振器スペーサ層はＯＬＥＤデバイスの第１の電極の役目も果たす。共振器スペーサ層は単一の層として図示しているが、代替的にはいくつかの層から構成してもよい。反射器１４は好適には、Ａｌ、Ａｇ、Ａｕ、及びこれらの合金を含むがこれらに制限されない高反射性金属から構成する。また、この例では、反射器はＯＬＥＤデバイスの第２の電極の役目も果たす。
【００１１】
有機ＥＬ媒体１３は第１及び第２の電極、この例では共振器スペーサ１２と反射器１４との間に配置し、当業技術分野で周知の多くの有機材料から選択すればよい。有機ＥＬ媒体１３は通常、正孔注入層、正孔輸送層、発光層、及び電子輸送層といったいくつかの副層から構成する。有機ＥＬ材料は小分子有機材料から構成してもよく、これは通常、気化法またはドナー基板からの熱転写によって堆積される。代替的に、有機ＥＬ媒体は、一般にＰＬＥＤと呼ばれるポリマー材料から構成してもよく、これはインクジェット印刷または溶剤スピンまたは浸漬コーティングといった方法で付着させればよい。有機ＥＬ媒体は、狭帯域放射または広帯域または白色放射スペクトルを発生するよう配置すればよい。当業者は有機ＥＬ媒体のために多くの可能な構成及び材料を選択することができる。
【００１２】
基板１６は視認者と有機ＥＬ媒体１３との間にあることが図１に示されており、半透明の反射器１１は有機ＥＬ媒体１３と視認者との間にある。光が基板を通じて移動するこの構成は下部発光デバイスとして知られている。この構成では、ガラスまたはプラスチックといった透明な基板を使用する。代替的には、反射器が基板と有機ＥＬ媒体との間にあるように製造してもよい。この代替構成は上部発光デバイスとして知られている。上部発光デバイスでは、光は基板を通過しないので、基板は光学的に不透明なものでよい。このため多様な基板の使用が可能になる。上部発光構成で使用可能な基板の１つの例はシリコンウェハである。基板はさらに、マイクロキャビティデバイスを駆動するアクティブマトリックス回路（図示せず）を含んでもよい。
【００１３】
光路長は各層毎に屈折率（ｎ）に厚さ（ｄ）を乗算したものとして定義される。マイクロキャビティデバイス１０のようなマイクロキャビティデバイスでは、反射器と半透明の反射器との間の層の総光路長（ｎiｄi）は、ほぼ次の式を満たすように設計される。
２Σ（ｎiｄi）／λ1＋（Ｑ1＋Ｑ2）／２π＝ｍ
（式１）
上式中、
ｎiはｉ番目の層の屈折率であり、ｄiはｉ番目の層の厚さであり、
Ｑ1及びＱ2はそれぞれ反射器１４の境界面及び半透明の反射器１１のラジアンを単位とする位相シフトであり、
λ1はデバイスから放射される所定の１次波長であり、
ｍは負でない整数である。
屈折率と層の厚さとの積を光学的厚さとして定義する。本発明に係る緑色マイクロキャビティデバイスの場合、この１次波長λ1は好適には４９０ｎｍ〜５７０ｎｍであり、より好適には５００ｎｍ〜５５０ｎｍである。
【００１４】
マイクロキャビティデバイス１０はマイクロキャビティデバイス構造の一例である。いくつかの変形が当業技術分野で周知であり本発明に適用してもよい。例えば、半透明の反射器は、異なる屈折率を有する透明な材料のいくつかの交互の層の４分の１波長スタックから構成してもよい。共振器スペーサ層は代替的には反射器と有機ＥＬ媒体との間に配置してもよく、また完全に除去してもよい。こうした何れの場合でも、半透明の反射器は有機ＥＬ媒体のための電極の役目を果たす必要があろう。
【００１５】
カラーフィルタ要素１５は、半透明の反射器と視認者との間になるように、半透明の反射器１１側のマイクロキャビティ構造の外部に配置する。マルチカラー画素化ディスプレイでは、画素のクロストークを最小化できるようにカラーフィルタ要素をマイクロキャビティ構造のできるだけ近くに配置するのが好適である。従って、下部発光デバイスでは、カラーフィルタ要素は好適にはマイクロキャビティと基板との間に配置する。しかし、本発明はカラーフィルタ要素を基板の外部に配置することによっても機能し得る。上部発光デバイスでは、カラーフィルタ要素は好適にはマイクロキャビティ構造の上に配置する。しかし、本発明はカラーフィルタ要素を付属の第２のカバー基板（図示せず）の何れの側に配置することによっても機能し得る。カラーフィルタ要素１５はフィルタリングされた光放射１７を生じるように配置する。
【００１６】
本発明によって製造したＯＬＥＤデバイスは、ほぼ緑色の成分を有する光を生じる複数の緑色発光領域を有する。黄色カラーフィルタ要素を使用することによって、このフィルタを通過する光は観察者によって緑色と知覚される。黄色フィルタは、緑色及び赤色の光に対してほぼ透過性であり青色の光に対して不透過性である高域通過フィルタである。
【００１７】
好適には、カラーフィルタ要素は、マイクロキャビティ層によって強調されたほぼ望ましい緑色波長及びそれより高い可視波長で高い透過率を有し、それより低い可視波長で低い透過率を有するように選択する。好適なカラーフィルタ要素は最大可視透過率及び最小可視透過率とカットオフ波長λ2とを有し、カットオフ波長λ2より低い可視波長では透過率はカットオフ波長λ2の透過率より低く、カットオフ波長λ2より高い可視波長では透過率はカットオフ波長λ2の透過率より高い。ここでは、カットオフ波長λ2は、透過率が最大可視透過率と最小可視透過率との中間である波長として定義する。カットオフ波長は好適には４７５ｎｍ〜５６０ｎｍであり、より好適には４９０ｎｍ〜５４０ｎｍである。可視波長は人間の目によって検出可能な全ての波長として定義されるが、大部分のＯＬＥＤ放射は４００ｎｍ〜７００ｎｍのより狭い範囲内となる傾向があるので、本発明を実際に使用するにはこの範囲で十分である。
【００１８】
カラーフィルタ技術は当業技術分野でＯＬＥＤデバイスに適用されている。カラーフィルタ要素を備えた非マイクロキャビティ白色ＯＬＥＤデバイスの例は米国特許第６，３９２，３４０号で示されている。しかし、この例では、緑色フィルタが使用されている。緑色カラーフィルタは、緑色領域の波長の帯域を透過する一方でそれより低い青色の波長とそれより高い赤色の波長を吸収する帯域通過型フィルタである。帯域通過型フィルタであるこうした緑色フィルタは、同等の高域通過、すなわち黄色フィルタより緑色波長の透過率が低い傾向がある。しかし、米国特許第６，３９２，３４０号で示されるデバイスでは、緑色の副画素を達成しフルカラーＲＧＢデバイスを完成するため帯域通過緑色フィルタが必要である。この場合、高域通過、すなわち黄色フィルタは黄色の放射を生じることになり、フルカラーデバイスのための満足な色域を発生しないことになる。それと対照的に、マイクロキャビティデバイスは、すでに垂直の視角で緑色光を放射し、緑色発光を増強するよう調整した光共振器を有しているので、黄色カラーフィルタを追加することによっても緑色が得られる。さらに、より高い視角で見た場合、マイクロキャビティデバイスの放射はより低い波長にシフトする傾向がある。従って、高域通過、すなわち黄色カラーフィルタを使用して、望ましい緑色波長での高い透過率を維持しつつ青色方向へのこのシフトを抑制することができる。
【００１９】
図２は、本発明の代替実施形態を示す。同じ基板２６上に３つの発光領域２８Ｂ、２８Ｇ、及び２８Ｒを有するマイクロキャビティデバイス２０が示される。こうした発光領域は、例えば、マルチカラーディスプレイ中の異なる色の副画素であってもよい。こうした副画素は、例えば、ＲＧＢディスプレイ中の青色、緑色、及び赤色の副画素であってもよい。マイクロキャビティデバイス２０は、有機ＥＬ媒体層で発生する光が基板を通過せずに視認者に達する上部発光デバイスとして示されている。
【００２０】
発光領域２８Ｇは、反射器２４Ｇ、半透明の反射器２１Ｇ、共振器スペーサ２２Ｇ、有機ＥＬ媒体２３Ｇ、及びカラーフィルタ要素２５Ｇから構成し、フィルタリングした光放射２７Ｇを生じる。マイクロキャビティデバイス２０では、この発光領域または副画素はマイクロキャビティデバイス１０に類似しており、各層は上記で説明した同じ目的を有する。この発光領域では、共振器長さは緑色発光を増強するよう調整されており、カラーフィルタ要素は高域通過、すなわち黄色型であり、好適には４７５ｎｍ〜５６０ｎｍ、より好適には４９０ｎｍ〜５４０ｎｍのカットオフ波長を有する。
【００２１】
他の発光領域は、マイクロキャビティ構造（図示の通り）であっても非マイクロキャビティ構造（図示せず）であってもよい。こうした発光領域は、赤色及び青色カラーフィルタといった様々な波長を透過するカラーフィルタ要素（図示の通り）を有してもよい。代替的には、こうした発光領域はカラーフィルタ要素なしで構成してもよい。図２に示すように、発光領域２８Ｒは、反射器２４Ｒ、半透明の反射器２１Ｒ、共振器スペーサ２２Ｒ、有機ＥＬ媒体２３Ｒ、及びカラーフィルタ要素２５Ｒに対応し、フィルタリングした光放射２７Ｒを生じる。ここでは、共振器長さは、共振器スペーサ２２Ｒの厚さを調整することによって赤色発光を増強するよう選択する。発光領域２８Ｂは、反射器２４Ｂ、半透明の反射器２１Ｂ、共振器スペーサ２２Ｂ、有機ＥＬ媒体２３Ｂ、及びカラーフィルタ要素２５Ｂに対応し、フィルタリングした光放射２７Ｂを生じる。ここでは、共振器長さは、共振器スペーサ２２Ｂの厚さを調整することによって青色発光を増強するよう選択する。有機ＥＬ媒体及び半透明の反射器といった多くの層は各発光領域間で共通でよいので、正確なパターニングは必要ない。
【００２２】
代替的には、図２で説明したデバイスがマイクロキャビティ構造を有する赤色発光領域を有する場合、緑色発光領域で使用したのと同じ型の高域通過フィルタ要素を赤色発光領域に適用してもよい。これは、赤色発光に合わせて調整したマイクロキャビティによって生じる青色発光がある場合それを抑制するというさらなる利点を有する。青色発光は、場合によってはいくつかの原因により赤色発光マイクロキャビティで生じることがある。第１に、例えば、反射器の反射が不良な場合、赤色に調整したマイクロキャビティにおいても青色発光が発生することがある。第２に、式１におけるｍの値がｍ＝０より大きい場合のような、光共振器の長さが大きい場合、マルチモードマイクロキャビティが発生することがある。これは、ｍ＝２といった高いｍの値を有する青色波長が、ｍ＝１といったより低いｍの値の赤色波長と同じ光共振器長さで式１をほぼ満たすために発生する。交互に共振するノードに合わせて調整することによって同時に多数の色を放射するマルチモードマイクロキャビティデバイスの例は米国特許第５，４７８，６５８号及び第５，６７４，６３６号に記載されている。赤色発光ゾーン中の不要な青色発光があればそれを抑制するため、緑色発光領域及び赤色発光領域の両方で同じ種類の高域通過すなわち黄色フィルタ要素を利用してもよい。
【実施例】
【００２３】
以下の例を参照して本発明をより詳細に説明する。
【００２４】
透明なガラス基板、２０ｎｍのＡｇの半透明の反射器、１００ｎｍのＡｌの反射器、屈折率が約１．８の複数の有機層、及び共振器スペーサ層はなし、という構成を有するマイクロキャビティデバイス（デバイス１）を準備した。有機層の合計厚さは２５４ｎｍであった。この厚さは緑色波長の放射を増強するようにほぼ最適化されたマイクロキャビティ構造を生じるように選択した。フィルタリングしていない放射を測定できるようにフィルタはこのデバイスに直接追加しなかった。そして、カラーフィルタ要素の既知の透過特性をマイクロキャビティデバイスのフィルタリングしていない放射に乗算（カスケード）することによってフィルタリング後の放射を計算した。
【００２５】
図３は、０度（垂直）、１５度、３０度、４５度、及び６０度の視角でのカラーフィルタ要素のないマイクロキャビティデバイス（デバイス１）の放射特性を示す。放射はＰｈｏｔｏ  Ｒｅｓｅａｒｃｈ（登録商標）ＰＲ（登録商標）−６５０  Ｓｐｅｃｔｒａｓｃａｎ（登録商標）測色計を使用して測定した。図３から分かるように、マイクロキャビティデバイス（デバイス１）は５１６度をピークとする主として緑色波長の放射を有した。しかし、デバイスの視角が６０度まで増大すると、放射のピークは低い波長にシフトし、可視スペクトル中より青色に近い光を放射する。
【００２６】
図４は、本発明のために有用な高域通過カラーフィルタ要素である市販のコダックラッテン（Ｋｏｄａｋ  ＷＲＡＴＴＥＮ）フィルタ＃８の透過特性を示す。このフィルタは、約９２％の最大可視透過率と約０％の最小可視透過率、及び約４９２ｎｍのカットオフ波長を有し、カットオフ波長での透過率は約４６％である。
【００２７】
図５は、図３に示すマイクロキャビティデバイス（デバイス１）からの０度放射を図４に示すカラーフィルタ要素によってカスケードした結果を示す。図５から分かるように、視角が０度から６０度に増大するに連れて低い波長方向へのわずかなシフトは存在するが、この作用は図３に示すフィルタリングしない放射と比較して著しく抑制された。従って、高域通過カラーフィルタ要素をマイクロキャビティデバイスに適用することによって、高い視角での緑色の純度が改善された。
【００２８】
図６は、放射を高域通過黄色カラーフィルタ要素によってカスケードする前後のマイクロキャビティデバイスの色刺激の１９３１ＣＩＥｘ，ｙ色度図を示す。色度座標は、図３（フィルタなし）及び図５（黄色フィルタカスケード後）に示す放射に基づいて計算する。フィルタなしの場合、視角が６０度に近づくに連れて緑の色度は急速に劣化して青の色度の位置になることが分かる。カラーフィルタ要素を適用することによって、初期の緑色の色度は若干改善され、青色の色度方向への全体的なシフトが抑制され、色刺激は緑色の色度の位置をより多く維持する。
【図面の簡単な説明】
【００２９】
【図１】本発明に係るマイクロキャビティデバイスの断面図を示す。
【図２】本発明に係るマルチカラーデバイスの断面図を示す。
【図３】例示されるマイクロキャビティデバイスのフィルタリングしていないスペクトル放射のグラフを示す。
【図４】本発明のために有用な例示されるカラーフィルタ要素の透過特性のグラフを示す。
【図５】例示されるマイクロキャビティデバイスのフィルタリングしたスペクトル放射のグラフを示す。
【図６】例示されるマイクロキャビティデバイスの色度図を示す。
【符号の説明】
【００３０】
１０    マイクロキャビティデバイス
１１    半透明の反射器
１２    共振器スペーサ
１３    有機ＥＬ媒体
１４    反射器
１５    カラーフィルタ要素
１６    基板
１７    フィルタリングした光放射
２０    マイクロキャビティデバイス
２１Ｂ、２１Ｇ、２１Ｒ    半透明の反射器
２２Ｂ、２２Ｇ、２２Ｒ    共振器スペーサ
２３Ｂ、２３Ｇ、２３Ｒ    有機ＥＬ媒体
２４Ｂ、２４Ｇ、２４Ｒ    反射器
２５Ｂ、２５Ｇ、２５Ｒ    カラーフィルタ要素
２６    基板
２７Ｂ、２７Ｇ、２７Ｒ    フィルタリングした光放射
２８Ｂ、２８Ｇ、２８Ｒ    発光領域
【図１】
2007520862.tif 000003
【図２】
2007520862.tif 000004
【図３】
2007520862.tif 000005
【図４】
2007520862.tif 000006
【図５】
2007520862.tif 000007
【図６】
2007520862.tif 000008
【国際調査報告】
2007520862.tif 000009
2007520862.tif 000010
2007520862.tif 000011